(57)【特許請求の範囲】
【請求項１】
患者身体の上部領域に配置され、肩甲帯を外転させ且つ肩甲骨を脊椎に向かって内転させるように構成されているリクライナ（１）と、患者の腰部領域に配置される患者身体の中央領域を矯正するための手段と、予め定められた姿勢に股関節及び脛骨を固定できるようにすることで股関節及び脛骨を矯正するための少なくとも１つの手段（１６）と、足根関節に対して足を固定できる、足根関節及び足指を矯正するための少なくとも１つの手段（２１）と、複数の矯正回転要素（３３）と、複数の接続手段（４１）とを備える、中枢神経系障害又は運動器官損傷の後遺症を患う患者を治療するための装置において、
該装置の構成要素が患者身体の特定部位を覆う個別のモジュール（Ａ、Ｂ、Ｃ、Ｄ）の形をとり、該モジュールの各々が独立して使用するのに適するように構成されており、
前記リクライナ（１）が事実上第一のモジュール（Ａ）であり、
患者身体の中央領域を矯正するための前記手段が、本質的に、脊椎に垂直方向負荷を与えることなく脊椎を矯正するように構成されている第二のモジュール（Ｂ）であり、
股関節及び脛骨を矯正するための少なくとも１つの手段が、膝関節の動きに自由度を与えるように予め定められた姿勢に股関節及び脛骨を固定するように構成されている第三のモジュール（Ｃ）であり、
足根関節及び足指を矯正するための少なくとも１つの手段が、本質的に、足根関節の動きに自由度を与えるように前面及び矢状面において足根関節に対して足を固定するように構成されている第四のモジュール（Ｄ）であり、
各モジュールの外側表面がマジックテープ式留め具を使用するのに適した起毛材料から作られ、
前記矯正回転要素（３３）が切り離し可能に前記第二、第三及び第四のモジュール（Ｂ、Ｃ、Ｄ）を連続して接合し、
前記矯正回転要素（３３）の各々が、患者の移動中の運動を矯正するように５％から５０％までの伸び率を有する弾性材料から作られるバンドの形をとり、前記第二、第三及び第四のモジュール（Ｂ、Ｃ、Ｄ）の各々との接続部位において前記矯正回転要素（３３）の締め付けを調節するように構成されている複数の接続手段（４１）を有し、前記接続手段の各々が、患者が患う病状に応じて前記第二、第三及び第四のモジュールの各々の外側表面の任意の位置にマジックテープ式留め具接続を行うのに適した係合表面を有していることを特徴とする、中枢神経系障害又は運動器官損傷の後遺症を患う患者を治療するための装置。
【請求項２】
前記矯正回転要素（３３）の各々は、その長さを変えるための手段（４４）を有している、請求項１に記載の装置。
【請求項３】
前記リクライナ（１）は、第一の可撓性バンド（２）と、第二の可撓性バンド（２）とを有し、前記第一の可撓性バンド（２）及び前記第二の可撓性バンド（２）の各々は、第一のストラップ及び第二のストラップが形成されるようにループ形状に空間的に湾曲しており、各ストラップは、患者のそれぞれの肩関節を囲んでおり且つ前記第一の可撓性バンド（２）及び第二の可撓性バンド（２）の第一の端部（３）同士をその間の距離を調節できるように相互に接続するように構成されている相互作用手段（４）を有しており、該相互作用手段は患者の背中に配置され、前記第一の可撓性バンド（２）の第二の端部（５）及び第二の可撓性バンド（２）の第二の端部（５）は前記相互作用手段（４）の近傍でそれぞれ前記第一の可撓性バンド（２）及び第二の可撓性バンド（２）に留められる、請求項１に記載の装置。
【請求項４】
前記装置は、前記リクライナ（１）と患者の背中との間に肩甲骨領域における患者背中の一部を覆う弾性プレート（１３）をさらに備え、前記弾性プレート（１３）の外側表面が、前記リクライナ（１）の前記第一のバンド（２）及び第二のバンド（２）に接続するためにマジックテープ式留め具に使用するのに適した起毛材料から作られており、前記第一のバンド及び前記第二のバンドの各々の内側が、前記弾性プレート（１３）の外側表面に接続するためにマジックテープ式留め具に使用するのに適した係合表面を有し、前記弾性プレートの下部が前記第二のモジュール（Ｂ）に接続するための接続手段（１４）を有している、請求項３に記載の装置。
【請求項５】
前記患者身体の中央領域を矯正するための手段は、脊椎に垂直方向負荷を与えることなく脊椎を矯正する形状を有するコルセット（６）を備え、該コルセット（６）の第一の部分（７）は、患者身体の腰部領域を囲んでおり且つ患者身体に前記第一の部分を横方向に固定するための手段（９）を有する一方、前記コルセット（６）の第二の部分（８）は患者背中の肩甲骨領域を覆っている、請求項１に記載の装置。
【請求項６】
前記患者身体の中央領域を矯正するための手段は、脊椎に垂直方向負荷を与えることなく脊椎を矯正するための形状を有するコルセットを備え、前記コルセットが、患者身体の腰部領域を囲んでおり、前記コルセットを患者身体に横方向に固定するための手段（１２）と、前記弾性プレート（１３）の前記接続手段（１４）に接合されるように構成されている接続手段（１５）とを備えている、請求項４に記載の装置。
【請求項７】
股関節及び足根関節を矯正するための手段（１６）は、第一の可撓性帯具（１７）と、第二の可撓性帯具（１８）とを備え、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されている、請求項１に記載の装置。
【請求項８】
足根関節及び足指を矯正するための手段（２１）は、足首を囲む第一の可撓性ベルト（２２）であって、その端部の一方に、端部間の距離を調節できるように該第一の可撓性ベルトを足首に固定するように構成されている相互作用手段（２４）を有する第一の可撓性ベルト（２２）と、足の縦方向足底弓領域を囲み且つ両端部が対向する両足首側面で前記第一の可撓性ベルト（２２）に取り付けられている第二の可撓性ベルト（２３）と、足指領域を囲むために互に向かって空間的に湾曲しており且つ留め具（３１）により相互に接続されている３つの端部（２７、２８、２９）を有している一方、第四の端部（３０）が未使用状態となっており且つ足の全長に沿って足の下に配置されるようになっている十字形状の足指足底要素（２６）とを備え、
前記第一の可撓性ベルト（２２）及び前記第二の可撓性ベルト（２３）と前記足指足底要素（２６）との間の距離をそれぞれ調節できるように、足指領域において前記第一の可撓性ベルト（２２）及び前記第二の可撓性ベルト（２３）を前記足指足底要素（２６）に接続する２つの弾性ブレス（３２）が設けられている、請求項１に記載の装置。
【請求項９】
前記装置は、前記矯正回転要素（３３）を対応するモジュールと相互に接続するための設定接続手段（４２）をさらに備え、該設定接続手段の各々が少なくとも１つのボルトループ（４３）を有し且つ２つの層から構成されており、前記層のうちの第一の層がマジックテープ式留め具に使用するのに適した起毛材料から作られる外側表面を有する一方、第二の層の外側表面がマジックテープ式留め具に使用するのに適した係合表面となっており、前記矯正回転要素（３３）の各々に設けられた前記接続手段の各々がマジックテープ式留め具に使用するのに適した起毛表面を有している、請求項１に記載の装置。
【請求項１０】
前記装置が、肘関節の動きに自由度を与えるように予め定められた姿勢に患者の肩及び前腕を固定するように構成されている上肢を矯正するための少なくとも１つの手段（３４）の形をとる第五のモジュール（Ｅ）をさらに備え、前記モジュールの外側表面がマジックテープ式留め具に使用するのに適した起毛材料から作られており、
相互に切り離せるように前記第五のモジュール（Ｅ）を前記第一のモジュール（Ａ）に接続する少なくとも１つの矯正回転要素（３３）が設けられ、該矯正回転要素は、５％から５０％までの伸び率を有する弾性材料から作られるバンドの形をとり且つ上肢の機能の際に上肢の運動を矯正するように構成されており、前記矯正回転要素（３３）は、前記第一のモジュール（Ａ）及び前記第五のモジュール（Ｅ）に対する前記矯正回転要素の接続位置において前記矯正回転要素の締め付けを調節するように構成されている複数の接続手段（４１）と、患者が患う病状に応じて前記第一のモジュール（Ａ）及び第五のモジュール（Ｅ）の外側表面の任意の位置にマジックテープ式留め具に使用するのに適した係合表面とを備えている、請求項１に記載の装置。
【請求項１１】
上肢を矯正するための前記手段（３４）の前記矯正回転要素（３３）がその長さを変えるための手段（４４）を備えている、請求項１０に記載の装置。
【請求項１２】
上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンドは、それぞれ、肘関節の上方及び下方で上肢を囲んでおり且つ空間的に湾曲した前記第一及び第二の可撓性バンド（３５、３６）の各々の一方の端部に設けられた留め具によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレス（４０）の両端部に、前記可撓性手根要素（３８）及び前記第二の可撓性バンド（３６）に対する前記ブレスの接続位置において前記ブレス（４０）の締め付けを調節するように構成されている複数の接続手段（４１）が設けられている、請求項１０に記載の装置。
【請求項１３】
患者身体の上部領域に配置され、肩甲帯を外転させ且つ肩甲骨を脊椎に向かって内転させるように構成されているリクライナ（１）と、患者の腰部領域に配置される患者身体の中央領域を矯正するための手段と、予め定められた姿勢に股関節及び脛骨を固定できるようにすることで股関節及び脛骨を矯正するための少なくとも１つの手段（１６）と、足根関節に対して足を固定できる、足根関節及び足指を矯正するための少なくとも１つの手段（２１）と、複数の矯正回転要素（３３）と、複数の接続手段（４１）とを備える、中枢神経系障害又は運動器官損傷の後遺症を患う患者を治療するための装置において、
該装置の構成要素が患者の身体の特定部位を覆う個別のモジュール（Ａ、Ｂ、Ｃ、Ｄ）の形をとり、該モジュールの各々が独立して使用するのに適するように構成されており、
前記リクライナ（１）が、事実上、第一の可撓性バンド（２）及び第二の可撓性バンド（２）を備える第一のモジュール（Ａ）であり、前記第一の可撓性バンド及び前記第二の可撓性バンドの各々は、第一のストラップ及び第二のストラップが形成されるようにループ状に空間的に湾曲しており、各ストラップが、患者のそれぞれの肩関節を囲んでおり且つ前記第一の可撓性バンド（２）及び前記第二の可撓性バンド（２）の第一の端部（３）同士をその間の距離を調節できるように相互に接続するように構成されている相互作用手段（４）を有しており、前記相互作用手段は患者の背中に配置され、前記第一の可撓性バンド（２）の第二の端部（５）及び前記第二の可撓性バンド（２）の第二の端部（５）が前記相互作用手段（４）の近傍でそれぞれ前記第一及び第二の可撓性バンド（３）に留められており、
患者身体の中央領域を矯正するための前記手段が、本質的に、脊椎に垂直方向負荷を与えることなく脊椎を矯正するように構成されており且つ脊椎に垂直方向負荷を与えることなく脊椎を矯正する形状を有するコルセット（６）を備えた第二のモジュール（Ｂ）であり、前記コルセット（６）の第一の部分（７）が、患者身体の腰部領域を囲んでおり且つ患者身体に前記第一の部分を横方向に固定するための手段（９）を有する一方、前記コルセット（６）の第二の部分が患者背中の肩甲骨領域を覆っており、
股関節及び脛骨を矯正するための少なくとも１つの手段が、膝関節の動きに自由度を与えるように予め定められた姿勢に股関節及び脛骨を固定するように構成されており且つ第一の可撓性帯具（１７）と第二の可撓性帯具（１８）とを備える第三のモジュール（Ｃ）であり、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されており、
足根関節及び足指を矯正するための少なくとも１つの手段（２１）は、足根関節の動きに自由度を与えるように前面及び矢状面において足根関節に対して足を固定するように構成されている第四のモジュール（Ｄ）であり、足首を囲む第一の可撓性ベルト（２２）であって、その端部の一方に、端部間の距離を調節できるように該第一の可撓性ベルト（２２）を足首に固定するように構成されている相互作用手段（２４）を有する第一の可撓性ベルト（２２）と、足の縦方向足底弓領域を囲み且つ両端部が対向する両足首側面で前記第一の可撓性ベルト（２２）に取り付けられている第二の可撓性ベルト（２３）と、足指領域を囲むために互に向かって空間的に湾曲しており且つ留め具（３１）により相互に接続されている３つの端部（２７、２８、２９）を有している一方、第四の端部（３０）が未使用状態となっており且つ足の全長に沿って足の下に配置されるようになっている十字形状の足指足底要素（２６）とを備え、第一及び第二の可撓性ベルト（２２、２３）と前記足指足底要素（２６）との間の距離を調節できるように、足指領域において前記第一及び第二の可撓性ベルト（２２、２３）を前記足指足底要素に接続する２つの弾性ブレス（３２）が設けられており、
各モジュール（Ａ、Ｂ、Ｃ、Ｄ）の外側表面がマジックテープ（登録商標）式留め具接続に使用するのに適した起毛材料から作られ、
前記矯正回転要素（３３）が切り離し可能に前記第二、第三及び第四のモジュールを連続して接合し、前記矯正回転要素（３３）の各々が、患者の移動中の運動を矯正するように５％から５０％までの伸び率を有する弾性材料から作られるバンドの形をとり、前記第二、第三及び第四のモジュールの各々との接続部位において前記矯正回転要素（３３）の締め付けを調節するように構成されている複数の接続手段（４１）を有し、前記接続手段の各々が、患者が患う病状に応じて前記第二、第三及び第四のモジュールの外側表面の任意の位置にマジックテープ（登録商標）式留め具接続を行うのに適した係合表面を有していることを特徴とする、中枢神経系障害又は運動器官損傷の後遺症を患う患者を治療するための装置。
【請求項１４】
前記矯正回転要素（３３）の各々は、その長さを変えるための手段（４４）を有している、請求項１３に記載の装置。
【請求項１５】
前記装置が、肘関節の動きに自由度を与えるように予め設定された姿勢に患者の肩及び前腕を固定するように構成されている上肢を矯正するための少なくとも１つの手段（３４）の形をとる第五のモジュール（Ｅ）をさらに備え、前記モジュールの外側表面がマジックテープ（登録商標）式留め具に使用するのに適した起毛材料から作られており、
上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンド（３６）は、それぞれ、肘関節の上方及び下方で上肢を囲んでおり且つ空間的に湾曲した前記第一及び第二の可撓性バンド（３５、３６）の各々の一方の端部に設けられた留め具（３７）によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレスの両端部に、前記可撓性手根要素（３８）及び前記第二の可撓性バンド（３６）に対する前記ブレスの接続位置において前記ブレスの締め付けを調節するように構成されている複数の接続手段（４１）が設けられており、
相互に切り離せるように前記第五のモジュール（Ｅ）を前記第一のモジュール（Ａ）に接続する少なくとも１つの矯正回転要素（３３）がさらに設けられ、該矯正回転要素は、５％から５０％までの伸び率を有する弾性材料から作られるバンドの形をとり且つ上肢の機能の際に上肢の運動を矯正するように構成されており、前記矯正回転要素（３３）は、前記第一のモジュール（Ａ）及び第五のモジュール（Ｅ）に対する前記矯正回転要素の接続位置において前記矯正回転要素の締め付けを調節するように構成されている複数の接続手段（４１）と、患者が患う病状に応じて前記第一のモジュール及び第五のモジュールの外側表面の任意の位置にマジックテープ（登録商標）式留め具に使用するのに適した係合表面とを備えている、請求項１３に記載の装置。
【請求項１６】
前記上肢を矯正するための手段の前記矯正回転要素（３３）は、その長さを変えるための手段（４４）を有している、請求項１５に記載の装置。
【請求項１７】
患者身体の上部領域に配置され、肩甲帯を外転させ且つ肩甲骨を脊椎に向かって内転させるように構成されているリクライナ（１）と、患者の腰部領域に配置される患者身体の中央領域を矯正するための手段と、予め定められた姿勢に股関節及び脛骨を固定できるようにすることで股関節及び脛骨を矯正するための少なくとも１つの手段（１６）と、足根関節に対して足を固定できる、足根関節及び足指を矯正するための少なくとも１つの手段（２１）と、複数の矯正回転要素（３３）と、複数の接続要素（４１）とを備える、中枢神経系障害又は運動器官損傷の後遺症を患う患者を治療するための装置において、
該装置の構成要素が患者身体の特定部位を覆う個別のモジュール（Ａ、Ｂ、Ｃ、Ｄ）の形をとり、該モジュールの各々が独立して使用するのに適するように構成されており、
前記リクライナ（１）が、事実上、第一の可撓性バンド（２）及び第二の可撓性バンド（２）を備える第一のモジュール（Ａ）であり、前記第一の可撓性バンド及び前記第二の可撓性バンドの各々は、第一のストラップ及び第二のストラップが形成されるようにループ状に空間的に湾曲しており、各ストラップが、患者のそれぞれの肩関節を囲んでおり且つ前記第一の可撓性バンド（２）及び前記第二の可撓性バンド（２）の第一の端部（３）同士をその間の距離を調節できるように相互に接続するように構成されている相互作用手段（４）を有しており、前記相互作用手段は患者の背中に配置され、前記第一の可撓性バンド（２）の第二の端部（５）及び前記第二の可撓性バンド（２）の第二の端部（５）が前記相互作用手段（４）の近傍でそれぞれ前記第一及び第二の可撓性バンド（３）に留められており、
患者身体の中央領域を矯正するための前記手段が、本質的に、脊椎に垂直方向負荷を与えることなく脊椎を矯正するように構成されており且つ脊椎に垂直方向負荷を与えることなく脊椎を矯正する形状を有するコルセット（６）を備えた第二のモジュール（Ｂ）であり、前記コルセット（６）の第一の部分（７）が、患者身体の腰部領域を囲んでおり且つ患者身体に前記第一の部分を横方向に固定するための手段（９）を有する一方、前記コルセット（６）の第二の部分が患者背中の肩甲骨領域を覆っており、
股関節及び脛骨を矯正するための少なくとも１つの手段が、膝関節の動きに自由度を与えるように予め定められた姿勢に股関節及び脛骨を固定するように構成されており且つ第一の可撓性帯具（１７）と第二の可撓性帯具（１８）とを備える第三のモジュール（Ｃ）であり、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されており、
足根関節及び足指を矯正するための少なくとも１つの手段（２１）は、足根関節の動きに自由度を与えるように前面及び矢状面において足根関節に対して足を固定するように構成されている第四のモジュール（Ｄ）であり、足首を囲む第一の可撓性ベルト（２２）であって、その端部の一方に、端部間の距離を調節できるように該第一の可撓性ベルト（２２）を足首に固定するように構成されている相互作用手段（２４）を有する第一の可撓性ベルト（２２）と、足の縦方向足底弓領域を囲み且つ両端部が対向する両足首側面で前記第一の可撓性ベルト（２２）に取り付けられている第二の可撓性ベルト（２３）と、足指領域を囲むために互に向かって空間的に湾曲しており且つ留め具（３１）により相互に接続されている３つの端部（２７、２８、２９）を有している一方、第四の端部（３０）が未使用状態となっており且つ足の全長に沿って足の下に配置されるようになっている十字形状の足指足底要素（２６）とを備え、第一及び第二の可撓性ベルト（２２、２３）と前記足指足底要素（２６）との間の距離を調節できるように、足指領域において前記第一及び第二の可撓性ベルト（２２、２３）を前記足指足底要素（２６）に接続する２つの弾性ブレス（３２）が設けられており、
前記装置が、肘関節の動きに自由度を与えるように予め設定された姿勢に患者の肩及び前腕を固定するように構成されている上肢を矯正するための少なくとも１つの手段（３４）の形をとる第五のモジュール（Ｅ）をさらに備え、
上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンド（３６）は、それぞれ、肘関節の上方及び下方で上肢を囲んでおり且つ空間的に湾曲した前記第一及び第二の可撓性バンド（３５、３６）の各々の一方の端部に設けられた留め具（３７）によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレス（４０）の両端部に、前記可撓性手根要素（３８）及び前記第二の可撓性バンド（３６）に対する前記弾性ブレス（４０）の接続位置において前記ブレス（４０）の締め付けを調節するように構成されている複数の接続手段（４１）が設けられており、
各モジュール（Ａ、Ｂ、Ｃ、Ｄ）の外側表面がマジックテープ（登録商標）式留め具接続に使用するのに適した起毛材料から作られ、
前記矯正回転要素（３３）が、切り離し可能に前記第二、第三及び第四のモジュールを連続して相互に接続し且つ切り離し可能に前記第一のモジュール（Ａ）を前記第五のモジュール（Ｅ）に相互に接続するように構成されており、前記矯正回転要素（３３）の各々が、患者の移動中の運動を矯正するように５％から５０％までの伸び率を有する弾性材料から作られるバンドの形をとり、前記第一、第二、第三及び第四のモジュール（Ａ、Ｂ、Ｃ、Ｄ）の各々との接続部位において前記矯正回転要素（３３）の締め付けを調節するように構成されている複数の接続手段（４１）を有し、前記接続手段の各々が、患者が患う病状に応じて前記第一、第二、第三及び第四のモジュール（Ａ、Ｂ、Ｃ、Ｄ）の外側表面の任意の位置にマジックテープ（登録商標）式留め具接続を行うのに適した係合表面を有していることを特徴とする、中枢神経系障害又は運動器官損傷の後遺症を患う患者を治療するための装置。
【請求項１８】
前記矯正-回転要素（３３）の各々は、その長さを変えるための手段（４４）を有している、請求項１７に記載の装置。
【発明の詳細な説明】
【０００１】
技術分野
本発明は、医薬品に関し、より詳細には、中枢神経系障害及び／又は運動器官損傷の後遺症を患う患者を治療するための装置に関するものである。
【０００２】
背景技術
病気治療の問題は、このような病気を患う患者が非常に多くいるためというだけでなく、公知の治療方法の質の点を考えても、緊急に解決しなければならないものである。
【０００３】
現在、人間の筋骨格系の様々な部位の運動機能を回復するために使用される様々な装置が公知となっている。
【０００４】
例えば、下肢の病状を治療するためのほとんど全ての公知の矯正装置（金属-プラスティック及び添木-革の両方）は、上肢及び下肢の関節の筋肉及び関節被膜器官の機能を保護するいわゆる「外部骨格」の形をとる。米国特許第５，６５８，２４２号は、弾力的な弾性ブレス（固定装具）を通じて足根関節及び股関節支持帯具に接続される腰椎支持要素（帯具）を備えた、下肢の運動機能を容易にするための装置を開示している。前記帯具は、膝関節の高さの中央部分にヒンジ接続部を有する剛性ブレスを通じて相互に接続されている。
【０００５】
この装置は、歩行中下肢の筋肉から負荷を解放し、下肢の外傷又は障害を患う患者の脚の運動機能のある程度の回復に寄与する。
【０００６】
しかしながら、剛性を有した「外部骨格」の使用は下肢の筋肉の衰弱及び発育不全を招く。
【０００７】
前記の公知の装置は、上肢の筋骨格系の様々な部位を治療する際にも使用することができる。例えば「上肢（左/右）負荷減弱帯具」、「肘用帯具」、「手根帯具」、「第一指添木」、「ハンド・ホルダー」（Ｓｃｉｅｎｔｉｆｉｃ−Ｐｒｏｄｕｃｔｉｏｎ  Ｃｅｎｔｅｒ（ＳＰＣ）から入手可能な矯正装置のカタログ“Ｏｇｏｎｉｏｋ”（モスクワ、１９９８年、第１２、１２、３３頁（ロシア））を参照のこと）がある。
【０００８】
しかしながら、これらの装置は、各々上肢の特定の病状の治療のためだけに独立して使用するのに適するので、同時にこれらの装置を使用するのは困難である。
【０００９】
現時点において、患者の上肢の筋骨格系全体を回復させるための自己完結的な装置について、筆者は知らない。
【００１０】
腰椎の損傷及び外科的介入の後遺症を取り除くために、もう１つ腰椎用の矯正コルセットの形をとる先行技術の装置が幅広く使用されており、この装置は長い金属製挿入物を備えている（ＳＰＣから入手可能な矯正装置のカタログ“Ｏｇｏｎｉｏｋ”（モスクワ、１９９８年、第２９頁（ロシア））を参照のこと）。一部の病気において、この装置は、生理学的に適切な姿勢（体位）に腰椎を固定する。
【００１１】
しかしながら、上述した全ての装置は、具体的な患者の病状の治療の際に独立して使用するためにしか適さない。これらの装置は、医療上の指示の点から使用の必要が生じた場合に関節使用の可能性を与えるものではない。
【００１２】
姿勢及び運動活動に障害のある患者を治療するための先行技術装置の１つは、１９９２年１月３１日を優先日とするＲＦ特許第２,０５４,９０７号公報から公知となっている。この装置は、相互補完的な運動及び力学要素を備えるスーツの形をとる。このスーツの運動要素は肩、骨盤、膝、足、肘、腕及び指支持器の組み合わせの形をとり、患者の姿勢を矯正する釣り合いの取れた負荷を確立する弾性ブレスの形をとる力学要素によって相互接続される。各ブレスは、その一方の端部が張力調整器を通じて１つの運動要素に接続され、他方の端部が別の運動要素に固定的に接続されることによって、２つの支持器に接続されている。この接続により、患者の身体に対する相対的な弾性ブレスの位置は、予め選択された方向に従って、特に患者の身体の前面、側面及び背面に沿って配分される。弾性ブレスのこの位置は、患者の病状に合わせて変更することができない。患者の矯正姿勢を変更する必要がある場合、患者のその病状を矯正するために形成される別の同様の装置を使用する必要がある。従って、この装置は機能的に限界がある。
【００１３】
この装置の肩支持器は、弾性ブレスをこれに固定するための上部締め付け要素の機能及びスーツの上部支持要素の機能を果たす。骨盤支持器は、中間支持固定要素の機能を果たし、脊椎に負荷作用を与える。足支持器は、足首の帯具、足底弓下のハーネス及び足前面部下のハーネスから成り、スーツの下部支持要素の弾性ブレスを固定するための下部締め付け要素の機能を果たす。スーツの下部支持要素は、患者の身体に負荷を与える。肘及び膝支持器は、中間固定支持体の機能を果たし、その各々が、肘／膝関節をきっちりと囲んで関節の可動性を厳しく制限する帯具の形をとる。
【００１４】
この装置は、力のモーメントを発生させて望みの姿勢に関節を固定して、四肢及び胴部両方の屈曲、伸展、回転、内転及び外転を強化する。
【００１５】
しかしながら、各対応するブレスの端部のうちの一方の対応する運動要素への接続が固定的であるという特徴は、弾性ブレスを設定する方向を制限し、筋骨格系の部位の１つの障害を含めて運動器官の様々な機能障害を持つ患者の治療に適する万能的な機能的な装置を提供する余地を与えないことから、公知の装置の弾性ブレスの上記の構成は、スーツ全体についてしか運動構造を形成せず、弾性ブレスの位置に予め定められた対応がある場合にしか患者の身体に矯正作用を与えない。
【００１６】
さらに、上述の装置は、大胸筋の病的高張を軽減するための条件を与えず、従って、上肢及び下肢の筋肉の病的相乗作用を軽減しない。
【００１７】
さらに、肘運動要素は肘関節における患者の腕の屈曲を制限し、生理的湾曲角度の増大を妨げる一方で、橈骨手根関節部における弾性ブレスの固定は、第一指の外転ブレスが適量の手の屈曲及び伸展ができないことを補い得ないことから、この公知装置の使用の際に治療過程から手の作業を除外させる。
【００１８】
中枢神経系の損傷の後遺症を含めて運動器官を患う患者の治療のための装置も現時点の技術上公知となっている（１９９８年９月１５日を優先日とするＲＦ特許第２,１３１,２３２号公報を参照のこと）。この装置は、本質的に相互補完的な要素から成るスーツであり、患者身体の上部用のリクライナ（リクライナは、肩甲帯及び胸部の支持設定帯具の形をとり、前記帯具は、事実上患者の第七頚椎から肩甲骨の下縁までの距離より大きい高さ及び肩甲骨の中間部の境を定める垂直線の間の距離より大きい幅を有するベルトである）と、患者の上部肩甲帯及び肩関節の身体的寸法に対応する三角ベルトの形をとる上部肩甲帯用の支持設定帯具と、他の支持設定要素に相互に固定するための装置を備えるベルトの形をとる腰部支持設定帯具と、膝蓋カップ及び膝窩支持体の形の下肢用の支持設定帯具と、各脚の前面部分用の帯具と、各足根関節及び各前母趾用の帯具とを含む。
【００１９】
身体の肩甲帯及び胸部用の支持設定帯具は、胸椎の筋肉を後に倒させ（もたれさせ）、支持設定要素の機能を果たし、肩甲帯用帯具に接続することによって単一の可撓性カーカス（骨組）を確立するのに寄与する。上記リクライナは反射負荷タイプの矯正装置として機能し、単一の可撓性カーカスを形成するためにもっとも重要な設定要素である。
【００２０】
上部肩甲帯用支持-設定帯具は、これに締め付け要素を固定し、患者の胴体及び下肢用の可撓性カーカスを形成するために役立つ。
【００２１】
腰部支持設定帯具は、支持及び設定の機能を果たし、これに可撓性ブレスが固定される。これは、胴体及び下肢用の単一の可撓性カーカスを形成するのに寄与する。
【００２２】
下肢用の支持-設定帯具は、矯正回転要素をこれに固定するのに適し、患者の胴体及び下肢用の単一の可撓性カーカスを形成するのに寄与する。膝カップは、股関節に対して相対的な膝関節の姿勢を矯正するために使用されるのに対して、膝窩支持体は、足及び足根関節を付加的に矯正するために使用される。膝カップ及び膝窩支持体は、同時には使用されない。
【００２３】
各足の前部用帯具、各足根関節用帯具及び各前母趾部用帯具は、足根関節及び足の部位に単一の可撓性カーカスを形成するための支持設定要素である。
【００２４】
この装置の全ての要素は、患者の胴体及び四肢用の可撓性カーカスを形成する縦固定部材（締め付け部材）を通じて、また矯正回転要素の機能を果たす弾性ブレスによって相互に接続される。上記弾性ブレスのサイズ及び設置場所は、患者の生理学的相乗作用及び筋肉の相乗作用に合わせて変えることができる。
【００２５】
この装置は、患者の肩関節をより完全に引っ張りその姿勢に固定するための条件を提供するので、患者の頚部の対称的な緊張性反射及び迷路緊張性反射を弱めるか一時的に取り除くことができる。これは、上部肩甲帯用の支持設定帯具及び胴体の胸部用のリクライナを使用することにより可能になる。さらに、公知の装置の上記コンポーネントについて本出願において提案される実施形態は、ＲＦ特許第２,０５４,９０７号公報において開示される装置に比べて、脊椎への負荷効果を多少軽減し、このため、患者の運動及び鞘帯器官にとって好ましいものである。
【００２６】
しかしながら、この装置は、スーツが全体として使用される場合にのみ治療効果を与える。患者の筋骨格系の特定の部位のみに治療作用を生じる必要があるとき、装置を全体として使用する必要がある一方、装置全体を使用することによって矯正に必要な矯正回転要素の引き締め力を発揮することができ、装置全体を使用せずに必要な矯正を保証することはできないことから、筋骨格系の損傷部分に対応する支持設定帯具の形でその一部だけを使用すると、治療効果を生じさせることができない。
【００２７】
中枢神経系及び運動器官障害の後遺症を患う患者を治療するための既知の全ての装置は、ほとんどの場合患者が脊柱の病状を持つことを考慮すれば、変形効果の可能性を現実に補うことなく脊柱の全ての部分に多かれ少なかれ明白な負荷を与える伝動チェーンとみなされ得ることに言及しておく必要がある。
【００２８】
発明の開示
中枢神経系障害及び／又は運動器官損傷の後遺症を患う患者のためのモジュール式万能装置を提供することが、本発明の主要な目的であり、この装置のモジュールは脊椎に負荷を与えることなく患者の脊椎を矯正された姿勢に固定し、休息及び運動の際にも患者身体の正しい生理学的姿勢を回復し、病的反射を軽減し、患者の運動を正常化し、正常なパターンに近い運動パターンを発現させるように、患者の筋骨格系の患部を治療する際に独立して使用するのに適するように構成されている。
【００２９】
上記の目的は、患者身体の上部領域に配置され、肩甲帯を外転させ且つ肩甲骨を脊髄に向けて内転させるように構成されているリクライナと、患者の腰部領域に配置される患者身体の中央領域を矯正するための手段と、予め定められた姿勢に股関節及び脛骨を固定できるようにすることで股関節及び脛骨を矯正するための手段と、足根関節に対して足を固定できる、足根関節及び足指を矯正するための少なくとも１つの手段と、複数の矯正回転要素と、複数の接続手段とを備える、中枢神経系障害及び／又は運動器官損傷の後遺症を患う患者を治療するための装置を提供することによって達成される。本発明によれば、この装置において、この装置の前記要素は、患者身体の特定の部位を覆う別個のモジュールの形をとり、該モジュールの各々は独立して使用するのに適するように構成されている。前記リクライナは事実上第一のモジュールである。患者身体の中央領域を矯正するための手段は、本質的に、脊椎に垂直方向負荷を与えることなく脊柱を矯正するように構成されている第二のモジュールである。股関節及び脛骨を矯正するための少なくとも１つの手段は、膝関節の動きに自由度を与えるように予め定められた姿勢に股関節及び脛骨を固定するように構成されている第三のモジュールである。足根関節及び足指を矯正するための少なくとも１つの手段は、本質的に、足根関節の動きに自由度を与えるように前面及び矢状面において足根関節に対して足を固定するように構成されている第四のモジュールである。各モジュールの外側表面は、マジックテープ式留め具に使用するのに適する起毛材料から作られる。前記矯正回転要素は、切り離し可能に前記第二、第三及び第四のモジュールを連続して接合する。矯正回転要素の各々は、患者の移動中の運動を矯正するように５％から５０％までの伸び率を有する弾性材料から作られるバンドの形をとり、前記第二、第三及び第四のモジュールの各々への前記矯正回転要素の各接続部位において前記矯正回転要素の締め付けを調節するように構成されている複数の接続手段を有し、前記接続手段の各々が、患者が患う病状に応じて前記第二、第三及び第四のモジュールの各々の外側表面の任意の位置にマジックテープ式留め具接続を行うのに適した係合表面を有している。
【００３０】
各矯正-回転要素は、その長さを変えるための手段を有していることが好都合である。
【００３１】
リクライナは、第一の可撓性バンドと、第二の可撓性バンドとを有し、第一の可撓性バンド及び第二の可撓性バンドの各々は、第一のストラップ及び第二のストラップが形成されるようにループ状に空間的に湾曲しており、各ストラップは、患者のそれぞれの肩関節を囲み、前記第一の可撓性バンド及び第二の可撓性バンドの第一の端部同士をその間の距離を調節できるように相互に接続するように構成されている相互作用手段を有し、該相互作用手段は患者の背中に配置され、第一の可撓性バンドの第二の端部及び第二の可撓性バンドの第二の端部は前記相互作用手段の近傍でそれぞれ第一の可撓性バンド及び第二の可撓性バンドに留められることが有利である。
【００３２】
この装置は、リクライナと患者の背中との間に肩甲骨領域における患者の背中の一部を覆う弾性プレートをさらに備え、前記弾性プレートの外側表面が、第一のリクライナバンド及び第二のリクライナバンドに接続するためにマジックテープ式留め具に使用するのに適した起毛材料から作られており、各バンドの内側が、前記弾性プレートの外側表面に接続するためにマジックテープ式留め具に使用するのに適した係合表面を有し、弾性プレートの下部が第二のモジュールに相互接続する接続手段を有していることが望ましい。
【００３３】
患者身体の中央領域を矯正するための手段は、脊椎に垂直方向負荷を与えることなく脊椎を矯正する形状を有するコルセットを備え、該コルセットの第一の部分が患者身体の腰部領域を囲み、患者身体に前記第一の部分部分を横方向に固定するための手段を有する一方、コルセットの第二の部分は患者背中の肩甲骨領域を覆っていることが有利である。
【００３４】
患者身体の中央領域を矯正するための手段は、以下の構成要素を備えることが好都合である。すなわち、該手段は、脊椎に垂直負荷を与えることなく脊椎を矯正するための形状を有するコルセットを備え、このコルセットが、患者の腰部領域を囲んでおり、前記コルセットを患者身体に横方向に固定するための手段と、前記プレートのための接続手段に接合されるように構成されている接続手段とを備えている。
【００３５】
股関節及び足根関節を矯正するための手段は、第一の可撓性帯具と、第二の可撓性帯具とを備え、これら可撓性帯具が、それぞれ、膝関節の上方及び下方で下肢を囲んでおり、膝窩領域において対向する縦方向端縁同士で相互に接続される各可撓性帯具の一方の端部に設けられた留め具を使ってその間の距離を調節できるように膝関節の上方及び下方で固定されることが可能である。
【００３６】
足根関節及び足指を矯正するための手段は、足首を囲む第一の可撓性ベルトであって、その端部の一方に、端部間の距離を調整できるように該第一の可撓性ベルトを足首に固定するように構成されている相互作用手段を有する第一の可撓性ベルトと、足の縦方向足底弓領域を囲み且つ両端部が対向する両足首側面で第一の可撓性ベルトに取り付けられている第二の可撓性ベルトと、足指領域を囲むために互に向かって空間的に湾曲しており且つ留め具により相互に接続されている３つの端部を有している一方、第四の端部が未使用状態となっており且つ足の全長に沿って足の下に配置されるようになっている十字形状の足指足底要素とを備え、前記第一の可撓性ベルト（２２）及び前記第二の可撓性ベルト（２３）と前記足指足底要素（２６）との間の距離をそれぞれ調節できるように、足指領域において第一の可撓性ベルト及び第二の可撓性ベルトを前記足指足底要素に接続する２つの弾性ブレスが設けられていることが有益である。
【００３７】
この装置は、矯正回転要素を対応するモジュールと相互に接続するための設定接続手段をさらに備え、該設定接続手段の各々が少なくとも１つのボルトループを有し且つ２つの層から構成されており、前記層のうちの第一の層がマジックテープ式留め具に使用するのに適した起毛材料から作られる外側表面を有する一方、第二の層の外側表面がマジックテープ式留め具に使用するのに適した係合表面となっており、矯正回転要素の各々に設けられた前記接続手段の各々がマジックテープ式留め具に使用するのに適した起毛表面を有していることが望ましい。
【００３８】
この装置は、肘関節の動きに自由度を与えるように予め定められた姿勢に肩及び前腕を固定するように構成されている上肢を矯正するための少なくとも１つの手段の形をとる第五のモジュールをさらに備え、前記モジュールの外側表面がマジックテープ式留め具に使用するのに適した起毛材料から作られており、相互に切り離せるように前記第五のモジュール（Ｅ）を前記第一のモジュール（Ａ）に接続する少なくとも１つの矯正回転要素（３３）が設けられ、該矯正回転要素が５％から５０％までの伸び率を有する弾性材料から作られるバンドの形をとり且つ上肢の機能の際に上肢の運動を矯正するように構成されており、前記矯正回転要素は、前記第一のモジュール及び第五のモジュールに対する前記矯正回転要素の接続位置において前記矯正回転要素の締め付けを調節するように構成されている複数の接続手段と、患者が患う病状に応じて前記第一のモジュール及び第五のモジュールの外側表面の任意の位置にマジックテープ式留め具に使用するのに適した係合表面とを備えていることが好都合である。
【００３９】
上肢を矯正するための手段の各矯正回転要素はその長さを変えるための手段を備えていることが望ましい。
【００４０】
上肢を矯正するための手段は、空間的に湾曲した第一の可撓性バンドと、空間的に湾曲した第二の可撓性バンドとを備え、これら両方が、それぞれ、肘関節の上方及び下方で上肢を囲んでおり且つ空間的に湾曲した第一及び第二の可撓性バンドの各々の一方の端部に設けられた留め具によってその間の距離を調節できるように肘関節の上方及び下方で固定されており、第一及び第二の可撓性バンドは、その対向する縦方向端縁によって相互に接続されており、掌に固定され且つ親指を外転させるように人間工学に基づいて構成されたＶ字形状の可撓性手根要素と、可撓性手根要素を第二の可撓性バンドに相互に接続する少なくとも１つの弾性ブレスを通じて第二の可撓性バンドに接続される可撓性手根要素の締め付け力を調節できるように、可撓性手根要素を掌に固定するための手段とが設けられており、前記弾性ブレスの両端部に、可撓性手根要素及び第二の可撓性バンドに対する前記ブレスの接続位置において前記ブレスの締め付けを調節するように構成されている複数の接続手段が設けられていることが有利である。
【００４１】
本出願において提案される装置の上述の構成配置は、個々のモジュールが筋骨格系又は中枢神経系の適切な患部を治療するにあたって独立して使用するのに適したモジュール式万能装置を確立するものである。
【００４２】
さらに、この装置は、患者の脊椎に垂直方向負荷を与えることなく矯正された姿勢に脊椎を固定することができる。
【００４３】
また、休息時も運動時中も患者の正しい生理学的空間的姿勢を回復すること、並びに病的反射を軽減し、患者の運動を正常化し、正常なパターンに近い運動パターンを発現させることが可能となる。
【００４４】
前記モジュールの各々は、その構成配置が上記で説明した構成配置と異なる場合もあり、同様の目的に適した別の構成配置を有してもよい。
【００４５】
しかしながら、前記の目的は、患者身体の上部領域に配置され、肩甲帯を外転させ且つ肩甲骨を脊髄に向けて内転させるように構成されているリクライナと、患者の腰部領域に配置される患者身体の中央領域を矯正するための手段と、予め定められた姿勢に股関節及び脛骨を固定するように構成されている股関節及び脛骨を矯正するための少なくとも１つの手段と、足根関節に対して足を固定できる、足根関節及び足指を矯正するための少なくとも１つの手段と、複数の矯正回転要素と、複数の接続手段とを備える、中枢神経系障害又は運動器官損傷の後遺症を患う患者を治療するための装置を提供することによって達成される。本発明によれば、この装置において、この装置の構成要素は、患者身体の特定部位を覆う別個のモジュールの形をとり、該モジュールの各々は、独立して使用するのに適するように構成されている。リクライナは、事実上、第一の可撓性バンド及び第二の可撓性バンドを備える第一のモジュールであり、第一の可撓性バンド及び第二の可撓性バンドの各々は、第一のストラップ及び第二のストラップが形成されるようにループ状に空間的に湾曲しており、各ストラップは、患者のそれぞれの肩関節を囲んでおり且つ前記第一の可撓性バンド及び第二の可撓性バンドの第一の端部同士をその間の距離を調節できるように相互に接続するように構成されている相互作用手段を有しており、相互作用手段は患者の背中に配置され、第一の可撓性バンドの第二の端部及び第二の可撓性バンドの第二の端部が相互作用手段の近傍でそれぞれ第一及び第二の可撓性バンドに留められている。患者身体の中央領域を矯正するための手段は、脊椎に垂直方向負荷を与えることなく脊椎を矯正するように構成されており且つ脊椎に垂直方向負荷を与えることなく脊椎を矯正する形状を有するコルセットを備えた第二のモジュールであり、コルセットの第一の部分は、患者の腰部領域を囲んでおり且つ患者身体に前記第一の部分を横方向に固定するための手段を有する一方、コルセットの第二の部分は患者背中の肩甲骨領域を覆っている。股関節及び脛骨を矯正するための少なくとも１つの手段は、膝関節の動きに自由度を与えるように予め定められた姿勢に股関節及び脛骨を固定するように構成されており且つ第一の可撓性帯具と第二の可撓性帯具とを備える第三のモジュールであり、第一の可撓性帯具及び第二の可撓性帯具は、それぞれ、膝関節の上方及び下方で患者の下肢を囲んでおり、可撓性バンドの各々の一方の端部に設けられた留め具によってその間の距離を調節できるように膝関節の上方及び下方で固定されており、可撓性バンドは対向する縦方向端縁同士で相互に接続される。足根関節及び足指を矯正するための少なくとも１つの手段は、足根関節の動きに自由度を与えるように前面及び矢状面において足根関節に対して足を固定するように構成されている第四のモジュールであり、足首を囲む第一の可撓性ベルトであって、その端部の一方に、端部間の距離を調節できるように第一の可撓性ベルトを足首に固定するように構成されている相互作用手段を有する第一の可撓性ベルトと、足の縦方向足底弓領域を囲み且つ両端部が対向する両足首側面で第一の可撓性ベルトに取り付けられている第二の可撓性ベルトと、足指領域を囲むために互に向かって空間的に湾曲しており且つ留め具により相互に接続されている３つの端部を有している一方、第四の端部が未使用状態となっており且つ足の全長に沿って足の下に配置されるようになっている十字形状の足指足底要素とを備え、第一及び第二の可撓性ベルトと足指足底要素との間の距離を調節できるように、足指領域において第一及び第二の可撓性ベルトを前記足指足底要素に接続する２つの弾性ブレスが設けられている。各モジュールの外側表面は、マジックテープ式留め具に使用するのに適した起毛材料から作られている。矯正回転要素は、切り離し可能に第二、第三及び第四のモジュールを連続して接合し、矯正-回転要素の各々は、患者の移動中の運動を矯正するように５％から５０％までの伸び率を有する弾性材料から作られるバンドの形をとり、第二、第三及び第四のモジュールの各々との矯正回転要素の接続場所において矯正回転要素の締め付けを調節するように構成されている複数の接続手段を有し、接続手段の各々は、患者が患う病状に応じて、前記モジュールの各々の外側表面の任意の位置にこの外面にマジックテープ式留め具接続を行うのに適した係合表面を有している。
【００４６】
各矯正-回転要素は、その長さを変えるための手段を有することが好都合である。
【００４７】
この装置が、予め設定された姿勢に肩及び前腕を固定して肘関節の動きに自由度を与えるように構成されている上肢を矯正するための少なくとも１つの手段の形をとる第五のモジュールをさらに備え、前記モジュールの外側表面がマジックテープ式留め具に使用するのに適した起毛材料から作られており、上肢を矯正するための手段は、空間的に湾曲した第一の可撓性バンドと、空間的に湾曲した第二の可撓性バンドとを備え、第一の可撓性バンド及び第二の可撓性バンドは、それぞれ、肘関節の上方及び下方で上肢を囲んでおり且つ空間的に湾曲した第一及び第二の可撓性バンドの各々の一方の端部に設けられた留め具によってその間の距離を調節できるように固定されており、第一及び第二の可撓性バンドは、その対向する縦方向端縁によって相互に接続されており、掌に固定され且つ親指を内転させるように人間工学に基づいて構成されたＶ字形状の可撓性手根要素と、可撓性手根要素を第二の可撓性バンドと相互に接続する少なくとも１つの弾性ブレスを通じて第二の可撓性バンドに接続される可撓性手根要素の締め付け力を調節できるように、可撓性手根要素を掌に固定するための手段とが設けられており、弾性ブレスの両端部に、可撓性手根要素及び第二の可撓性バンドに対する前記ブレスの接続位置においてブレスの締め付けを調節するように構成されている接続手段が設けられており、相互に切り離せるように第五のモジュールを第一のモジュールに接続する少なくとも１つの矯正回転要素がさらに設けられ、矯正回転要素は、５％から５０％の伸び率を有する弾性材料から作られるバンドの形をとり且つ上肢の機能の際に上肢の運動を矯正するように構成されており、矯正回転要素は、第一のモジュール及び第五のモジュールに対する接続位置において矯正回転要素の締め付けを調節するように構成されている複数の接続手段と、患者が患う病状に応じて第一のモジュール及び第五のモジュールの外側表面の任意の位置にマジックテープ式留め具に使用するのに適した係合表面とを備えていることが有利である。
【００４８】
上肢を矯正するための手段の各矯正回転要素は、その長さを変えるための手段を備えていることが望ましい。
【００４９】
前記目的は、患者身体の上部領域に配置され、肩甲帯を外転させ且つ肩甲骨を脊髄に向かって内転させるように構成されているリクライナと、患者の腰部領域に配置される患者身体の中央領域を矯正するための手段と、予め定められた姿勢に股関節及び脛骨を固定するように構成されている股関節及び脛骨を矯正するための少なくとも１つの手段と、足根関節に対して足を固定できる足根関節及び足指を矯正するための少なくとも１つの手段と、複数の矯正回転要素と、複数の接続手段とを備える、中枢神経系障害及び／又は運動器官損傷の後遺症を患う患者を治療するための装置を提供することによって有効に達成できる。本発明によれば、この装置において、この装置の構成要素は、患者身体の特定部位を覆う個別のモジュールの形をとり、該モジュールの各々は、独立して使用するのに適するように構成されている。リクライナは、事実上、第一の可撓性バンド及び第二の可撓性バンドを備える第一のモジュールであり、第一の可撓性バンド及び第二の可撓性バンドの各々は、第一のストラップ及び第二のストラップが形成されるようにループ状に空間的に湾曲しており、各ストラップは、患者のそれぞれの肩関節を囲んでおり且つ第一の可撓性バンド及び第二の可撓性バンドの第一の端部同士をその間の距離を調節できるように相互に接続するように構成されている相互作用手段を有しており、相互作用手段は患者の背中に配置され、第一の可撓性バンドの第二の端部及び第二の可撓性バンドの第二の端部は相互作用手段の近傍でそれぞれ第一及び第二の可撓性バンドに留められている。患者身体の中央領域を矯正するための手段は、脊椎に垂直方向負荷を与えることなく脊椎を矯正するように構成されており且つ脊椎に垂直方向負荷を与えることなく脊椎を矯正する形状を有するコルセットを備えた第二のモジュールであり、コルセットの第一の部分は患者の腰部を囲んでおり且つ患者身体に前記第一の部分を横方向に固定するための手段を有する一方、コルセットの第二の部分は患者背中の肩甲骨部を覆っている。股関節及び脛骨を矯正するための少なくとも１つの手段は、膝関節の動きに自由度を与えるように予め定められた姿勢に股関節及び脛骨を固定するように構成されており且つ第一の可撓性帯具と第二の可撓性帯具とを備える第三のモジュールであり、第一の可撓性帯具及び第二の可撓性帯具は、それぞれ、膝関節の上方及び下方で患者の下肢を囲んでおり、第一及び第二の可撓性帯具の各々の一方の端部に設けられた留め具によってその間の距離を調節できるように膝関節の上方及び下方で固定され、第一及び第二の可撓性帯具は対向する縦方向端縁によって相互に接続されている。足根関節及び足指を矯正するための少なくとも１つの手段は、足根関節の動きに自由度を与えるように前面及び矢状面において足根関節に対して足を固定するように構成されている第四のモジュールであり、足首を囲む第一の可撓性ベルトであって、その端部の一方に、端部間の距離を調節できるように該第一の可撓性ベルトを足首に固定するように構成されている相互作用手段を有する第一の可撓性ベルトと、足の縦方向足底弓領域を囲み且つ両端部が対向する両足首側面で第一の可撓性ベルトに取り付けられている第二の可撓性ベルトと、足指領域を囲むために互に向かって空間的に湾曲しており且つ留め具により相互に接続されている３つの端部を有している一方、第四の端部が未使用状態となっており且つ足の全長に沿って足の下に配置されるようになっている十字形状の足指足底要素とを備え、第一及び第二の可撓性ベルトと足指足底要素との間の距離を調節できるように、足指領域において第一及び第二の可撓性ベルトを足指足底要素に接続する２つの弾性ブレスが設けられている。この装置は、予め設定された姿勢に肩及び前腕を固定し且つ肘関節の動きに自由度を与えるように構成されている上肢を矯正するための少なくとも１つの手段の形をとる第五のモジュールを備え、上肢を矯正するための手段は、空間的に湾曲した第一の可撓性バンドと、空間的に湾曲した第二の可撓性バンドとを備え、第一の可撓性バンド及び第二の可撓性バンドは、それぞれ、肘関節の上方及び下方で上肢を囲んでおり且つ空間的に湾曲した第一及び第二の可撓性バンドの各々の一方の端部に設けられた留め具によってその間の距離を調節できるように肘関節の上方及び下方で固定されており、第一及び第二の可撓性バンドは、その対向する縦方向端縁によって相互に接続されており、患者の掌に固定され且つ親指を外転させるように人間工学に基づいて構成されたＶ字形状の可撓性手根要素と、可撓性手根要素を前記第二の可撓性バンドと相互に接続する少なくとも１つの弾性ブレスを通じて第二の可撓性バンドに接続される可撓性手根要素の締め付け力を調節できるように、可撓性手根要素を掌に固定するための手段とが設けられており、弾性ブレスの両端部に、可撓性手根要素及び第二の可撓性バンドに対する弾性ブレスの接続位置においてブレスの締め付けを調節するように構成されている接続手段が設けられている。各モジュールの外側表面はマジックテープ（登録商標）式留め具接続に使用するのに適した起毛材料から作られている。矯正回転要素は、切り離し可能に第二、第三及び第四のモジュールを連続して相互に接続するように構成されており、各矯正-回転要素は、患者の移動中の運動を矯正するように５％から５０％までの伸び率を有する弾性材料から作られるバンドの形をとり、第一、第二、第三及び第四モジュールの各々との接続部位において矯正回転要素の締め付けを調節するように構成されている複数の接続手段を有し、接続手段の各々は、患者が患う病状に応じて第一、第二、第三及び第四のモジュールの外側表面の任意の位置にマジックテープ（登録商標）式留め具接続するのに適した係合表面を有している。
【００５０】
各矯正回転要素は、その長さを変えるための手段を有することが好都合である。
【００５１】
本発明は、患者の脊椎を矯正された姿勢又は位置に固定するための条件と、麻痺性側彎症、シェイエルマン−マウ病、典型的「円背」の場合の椎体の外傷性損傷、小児脳性麻痺、脊椎の骨軟骨症及びその他の同様の病気の患者の診断の際に脊椎の負荷を減弱させ牽引するための条件を整える。
【００５２】
提案される装置は、脊椎に負荷を与えることなく機械的に牽引矯正するので、肩甲帯を外転させ、その姿勢又は位置に安定的に固定することによって緊張性反射の作用を取り除くのに役立つ。提案される発明は、胸筋及び骨盤及び肩甲帯の筋肉の病的緊張を反射整復し、下肢の緊張を反射整復するので、休息時及び運動中の肩、肘、橈骨、股関節、膝、足根関節及び足の関節の生理的に最高な姿勢位置を定めこれを固定することができる。さらに、提案される発明は、提案される装置のトレーニングシミュレータ機能の結果として、筋肉の緊張を正常化し、筋力及び持久力を増強する。
【００５３】
提案される発明は、患者身体用の単一の可撓性カーカスを提供しないので、これが提供される場合の上述の全てのマイナスの結果を排除する。同時に、提案される発明の各モジュールは定められた目的を達成するためにその機能を果たす。例えば、本発明に従って形成されるリクライナは、正しい姿勢を形成するために使用され、本発明に従って形成される矯正コルセットは、脊椎に負荷を与えることなく脊椎を矯正し、本発明による股関節及び脛骨用の複合的帯具及び足根関節及び足指用矯正装置は、提案される装置と同時に他の公知の矯正装置の使用を可能にする。
【００５４】
特に例えば上肢の痙性筋肉緊張を伴う脳血管発作又は小児脳性麻痺を患う患者を治療するために提案される発明の機能的能力を拡大するために、この装置は、少なくとも１つの矯正回転要素によって第一のモジュールに接続される第五のモジュールを有する。
【００５５】
第五のモジュールの構成配置は、上肢全体の病状を矯正すると同時に、肘関節の自由な動きを維持することを可能にする。
【００５６】
提案される装置の機能的能力を拡大するために、特に例えば頭蓋脳損傷又は脊椎のさまざまな部位の外傷を患う患者を治療するために、提案される装置は、胸骨領域に配置されるように構成された手段及び／又は恥骨領域に配置されるように構成された手段及び／又は頚椎を矯正するための装置の形をとる手段を備えることができる。各矯正回転要素の長さを変えるための手段を設けることによって、様々な年齢層の患者に提案される同一の装置を使用することが可能であり、装置の使用中の負荷を増減させることもできる。
【００５７】
リクライナのバンドは、ベストを形成するのに充分な幅を含む様々な幅を有することができる。
【００５８】
本発明によれば、この装置の構造的構成要素の外側表面は、マジックテープ式留め具の第一の表面に対応する材料から作られ、各締め付け要素は、事実上、マジックテープ式留め具の係合表面となる表面を有する。
【００５９】
前記構成方法は、提案される装置に融通性を付加し、非常に多様な病状の治療のためにこれを使用できるようにする。さらに、この装置は、病気の経過及び治療効果の有無に応じて治療過程において装置を取り外すことなくモジュール及びその要素の相対的位置を変えることができるようにし、それによって、提案される装置の機能的能力を大幅に拡大する他の同様の装置に頼ることなく、同じ装置を治療に使用することができる。
【００６０】
提案される装置は、例えば足指又は手指又は首又は頭の姿勢を矯正するのに適する他の公知の矯正設備と一緒に使用することができる。
【００６１】
提案される発明を使用することによって、脊椎に与えられる負荷を軽減し、四肢に与えられる釣り合いの取れた矯正負荷を発現することによる複合的矯正が可能になる。
【００６２】
本発明は、添付図面と共に読むことによりその特定の実施形態についての以下の説明からよく理解できるであろう。
【００６３】
発明の最良の実施方法
本発明に従って中枢神経系障害及び／又は運動器官損傷の後遺症を患う患者の治療用に提案される装置は、個々のモジュールＡ、Ｂ、Ｃ、Ｄ、Ｅ（図１、図２、図３、図４）から成り、個別の（自立的）使用に適し、患者の身体のために単体の可撓性カーカス（骨組）を構築していない（患者は図に示されていない）。本発明の様々な実施形態において、患者が患う病状に応じて上記モジュールの様々な組み合わせを使用することができる。さらに、提案される発明を使用して治療を行なう過程で、モジュールの相互の位置の変更及びモジュールの交換を行なうことができる。
【００６４】
第一のモジュールＡは、患者の肩甲帯を後に倒す（もたれさせる）機能、換言すれば正しい姿勢を形成する機能を果たす。このモジュールは、図１、図２及び図３において患者の身体上部領域用のリクライナ（後倒器）１として示されており、第一の可撓性バンド２及び第二の可撓性バンド２を含む。各バンドは、その間の距離を調節できるように締め付け要素４によって接続され且つ患者の背中に位置する第一の端部３を有する。締め付け要素４として、同様の目的に適する任意の公知の締め付け要素、例えばラッチ（掛け金）を使用することができる。可撓性バンド２は、各々空間的に湾曲したループ形態のバンドの形をとり、各可撓性バンド２の第二の端部５は、各々が患者身体のそれぞれの肩関節を囲む第一及び第二のストラップを形成するように締め付け要素４付近でバンド２に固定的に接続されている。
【００６５】
リクライナ１の各可撓性バンドは、ベスト（チョッキ）を形成するのに十分なほど広くすることができる。
【００６６】
第二のモジュールＢは、患者身体の中央領域を矯正するための手段の形をとり、腰部領域に配置され、脊椎に垂直方向負荷を与えることなく脊椎を矯正するように構成されている。患者身体の中央領域を矯正するために提案される手段は、脊椎に負荷を与えることなく脊椎を矯正する複雑な形状を有するコルセット６の形をとる。コルセット６は、患者身体の腰部領域を囲む第一の部分７と、患者の背中の肩甲骨領域を覆う第二の部分８とを有する。部分７及び２は、単一部品の形をとる。第一の部分７は患者の身体上でそれを横方向に固定するための手段９を有する。本発明の別の実施形態では、患者身体の中央領域を矯正するために提案される手段は、脊椎に垂直方向の負荷を与えることなく脊椎を矯正する複雑な形状を有するコルセット１１の形をとる図４に示される１つの部分しか持たないものとすることができる。このコルセットは患者の腰部領域を囲み、患者の身体上にそれを横方向に固定するための手段を有する。
【００６７】
この装置は、さらに患者の背中の肩甲骨部分を覆い且つリクライナ１と患者の背中との間に配置されている可撓性プレート１３をさらに備えることができる。プレート１３の外側表面は、マジックテープ式の接続に使用するのに適する起毛材から成り、リクライナ１の第一及び第二のストラップを相互に接続するために、プレート１３の外側表面のマジックテープ式留め具のための係合表面が各ストラップの内側表面に設けられている。可撓性プレート１３の下部には、第二のモジュールＢに接続するための接続手段１４があり、第二のモジュールは、可撓性プレート１３の接続手段１４に接続可能な接続手段１５を有さなければならない。
【００６８】
コルセットは、脊椎に垂直方向負荷を与えることなく脊椎を矯正するためのその他の公知の構造を有することができる。例えば、ベッカー式コルセットである。
【００６９】
提案される装置は、患者が患う病状に応じて、胸骨領域に配置される手段Ｆ及び／又は恥骨領域に配置される手段Ｇ及び／又は頚椎を矯正するための装置の形をとる手段（図示せず）、又は提案される装置を補完するその他の手段を含むことができる。
【００７０】
第三のモジュールＣは、患者の股関節及び脛骨を矯正するための少なくとも１つの手段１６の形をとり、この手段は、膝関節の動きを自由にするように予め定められた姿勢（又は位置）で股関節及び脛骨を固定するように構成されている。患者が両下肢の病状を持つときには、このようなモジュールを２つ配備すべきである。
【００７１】
患者の下肢の股関節及び脛骨を矯正するための手段１６は、膝関節より上で下肢を囲み且つ第一の端部と第二の端部と中間部を有する縦方向端縁とを有する第一の可撓性帯具１７と、膝関節より下で下肢を囲み且つ第一の端部と第二の端部と第一の可撓性帯具１７の縦方向端縁と対向して配置されており第一の可撓性帯具１７の縦方向端縁の中間部に接続された中間部を有する縦方向端縁とを有する第二の可撓性帯具１８と、下肢の膝窩領域に配置され且つ第一及び第二の可撓性帯具１７，１８の対向する縦方向端縁の中間部同士の接続部位１９と、第一の端部と第二の端部との間の距離を調節できるように第一の可撓性帯具１７を膝関節の上方で固定するために第一の可撓性帯具１７の第一の端部と第二の端部とを相互に接続するための第一の相互作用手段２０（締め付け要素）と、第一の端部と第二の端部との間の距離を調節できるように第二の可撓性帯具１８を膝関節の下方で固定するために第二の可撓性帯具１８の第一の端部と第二の端部とを相互に接続するための第二の相互作用手段２０（締め付け要素）とを備えている。
【００７２】
第四のモジュールＤは、患者の足根関節及び足指を矯正するための少なくとも１つの手段２１の形をとり、この手段２１は、足根関節の動きを自由にするように前面及び矢状面において足根関節に対して足を固定するように構成される。患者が両下肢に症状を持つときには、モジュールＤを２つ配備すべきである。
【００７３】
足根関節及び足指を矯正するための手段２１は、足首を囲む第一の可撓性ベルト２２と、縦足弓領域を囲む第二の可撓性ベルト２３とを含んでいる。第一の可撓性ベルト２２は、第一の可撓性ベルトの両端部間の距離を調節できるように第一の可撓性ベルト２２を足首に固定するために、第一の可撓性ベルトの両端部を相互に接続する相互作用手段２４を有している。第二の可撓性ベルト２３の両端部は、締め付け要素２５によって、足首の両側面で第一の可撓性ベルト２２上に固定されている。手段２１は、さらに、それぞれ第一の端部２７、第二の端部２８、第三の端部２９及び第四の端部３０を有する十字形状の足指足底要素２６を含んでいる。第一の端部２７、第二の端部２８及び第三の端部２９の各々に締め付け要素３１が設けられる。第一の端部２７、第二の端部２８及び第三の端部２９は、それぞれ、互に向かって空間的に湾曲して、足のつま先領域（足指領域）を囲み、締め付け要素３１によって相互に接続されている。第四の端部３０は使われず、踵を含めて足の全長に沿ってその下に配置される。２つの弾性ブレスがさらに設けられ、その各々が、その間の距離を調節できるように足指領域においてそれぞれの可撓性ベルト２２、２３を足指足底要素２６に接続する。
【００７４】
相互作用手段２０、２４及び締め付け要素２５、３１は、同様の目的に適する任意の公知構造を有することができる。
【００７５】
さらに、提案される装置は、切り離し可能に第二、第三及び第四のモジュールを連続して接続する複数の矯正回転要素３３を含んでいる。矯正回転要素３３の数は、患者が患う病状によって定める。例えば、図１及び図２は、第二及び第三のモジュールを相互に接続するために４つの矯正回転要素３３が設けられている提案される装置をそれぞれ示している。図３は、第二及び第三のモジュールを相互に接続するために単一の矯正回転要素３３を有する提案される装置を示している。図４は、第二及び第三のモジュールを相互に接続するために５つの矯正回転要素３３を備えている提案される装置を示している。
【００７６】
さらに、患者の病状が妥当であれば、提案される装置は患者の上肢を矯正するための少なくとも１つの手段３４を含むことができ、この手段３４は、肘関節の動きを自由にするように予め定められた姿勢又は位置に肩及び前腕を固定するように構成された第五のモジュールＥの機能を果たす。患者が両方の上肢に病状を持つときには、手段３４を２つ配備すべきである。
【００７７】
上肢を矯正するための手段３４は、肘関節の上で上肢を囲み且つ第一の端部と第二の端部と中間部を有する縦方向端縁とを有する空間的に湾曲した第一の可撓性バンド３５と、肘関節の下で上肢を囲み且つ第一の端部と第二の端部と第一の可撓性バンド３５の縦方向端縁と対向して配置されており第一の可撓性バンド３５の縦方向端縁の中間部に接続された中間部を有する縦方向端縁とを有する空間的に湾曲した第二の可撓性ストラップ３６と、上肢の肘下領域に配置され且つ第一及び第二の可撓性バンド３５、３６の対向する縦方向端縁の中間部同士の間を接続する相互接続部位と、第一の可撓性バンド３５の第一の端部と第二の端部との間の距離を調節できるように肘関節の上で２つの端部を相互に接続する第一の相互作用手段３７と、第二の可撓性バンド３６の第一の端部と第二の端部との間の距離を調節できるように肘関節の下で第二の可撓性バンド３６を固定するために２つの端部を接続する第二の相互作用手段３７と、掌に固定し且つ手の親指を反らせるように人間工学に基づいて構成されており、各々が可撓性手根要素３８の締め付け力を調整できるように掌に固定するための手段３９を備えたＶ字形状の第一及び第二の端部を有する可撓性手根要素３８と、矯正回転要素３３と同様に形成されており且つ第一の端部及び第二の端部を有した第二の可撓性バンド３６に可撓性手根要素３８を接続する少なくとも１つ弾性ブレス４０と、可撓性手根要素２８及び第二の可撓性バンド２６への弾性ブレス２２の接続部位において弾性ブレスの締め付けを調節するために弾性ブレス４０の第一の端部及び第二の端部の各々に設けられた接続のための手段４１とを含んでいる。
【００７８】
第五のモジュールＥは、上述の矯正回転要素と同様の矯正回転要素３３によって第一のモジュールＡに切り離し可能に接続されている。矯正回転要素３３の数は、患者が患う病状によって定める。例えば、図２は、第五モジュールの各々と第一のモジュールを相互に接続するように構成された２つの矯正回転要素３３を備えた提案される装置を示しており、図３は、第一及び第四のモジュールを相互に接続するために１つの矯正回転要素３３を備えた提案される装置を示し、図４は、第五及び第一のモジュールを接続するために２つの矯正回転要素３３を備えた提案される装置を示している。
【００７９】
モジュールの各々の外側表面は、マジックテープ式留め具に使用するのに適する起毛材から作られている。
【００８０】
各矯正回転要素３３及び各弾性ブレス４０は、５％から５０％の伸び率を有する弾性材のバンドの形をとり、患者の移動及び／又は動作中に患者の運動を矯正する。
【００８１】
各矯正回転要素３３及び各弾性ブレス４０は、患者が患う病状に応じた矯正を行なう伸び率を有する材料、例えば、「トリコール」及び「ネオプレン」繊維から作られる。
【００８２】
各矯正回転要素３３は、モジュールの各々への接続部位において矯正回転要素３３の締め付けを調節するように構成された接続手段４１を有する。各相互接続手段４１は、患者が患う病状に応じてモジュールの各々の外側表面の任意の部位でマジックテープ式留め具接続するための係合表面を有している。
【００８３】
前記矯正回転要素３３は、上述の通り手段４１を使用してモジュールを接続することができる。しかしながら、この接続を、各々互に保持される２つの層から成る設定接続手段４２によって行なうこともできる。第一の層の外側表面は、マジックテープ式留め具に使用するのに適した起毛材から作られ、第二の層の外側表面はマジックテープ式留め具に使用するのに適した係合表面である。設定接続手段４２は、各々少なくとも１つのストラップ（ひも）４３を有している。矯正回転要素３３の各々に設けられた接続手段４１は、各々、マジックテープ式留め具に使用するのに適した起毛表面を有していなければならない。
【００８４】
矯正回転要素３３は、各々、その長さを変えるための手段４４を有してもよい。図９に示されている手段４４は、例えば２つの楕円形要素から成る保持具の形をとってもよい。あるいはまた、手段４４は、同様の目的に適した別の公知構造を有してもよい。
【００８５】
上述したように、提案される装置のモジュールＡ、Ｂ、Ｃ、Ｄ、Ｅは、各々、患者が患う病状に応じて、他のモジュールから独立して使用することができる。例えば、第一のモジュールＡは、肩甲帯の筋肉機能障害を持つ患者を治療するために独立した装置４５（図７）として使用することができる。
【００８６】
第三及び第四のモジュールＣ、Ｄは、下肢の機能障害を持つ患者を治療するために独立した装置４６（図５）として使用することができる。
【００８７】
第五のモジュールＥは、上肢の機能障害を持つ患者を治療するために独立した装置４７（図６）として使用することができる。
【００８８】
提案される装置は、以下のように機能する。
【００８９】
以下において検討するのは、患者が患う病状が提案される装置を全体として使用する必要があるとき、すなわち、第一、第二及び第三、第四及び第五のモジュールを備える提案される装置の使用を必要とするときの実施形態である。
【００９０】
まず、第一及び第二のモジュールＡ、Ｂが患者に装着され、次に、第三、第四及び第五のモジュールＣ、Ｄ、Ｅが装着される。第二のモジュールＢは、この場合、下肢用の動力チェーン（パワーチェーン）を取り付けるための土台である。患者が患う病状及びこの病状に関係する医学的指示に応じて、対応するモジュールを相互に接続するために矯正回転要素３３の数及び長さが選択される。次に、第三及び第四のモジュールＣ、Ｄが矯正回転要素３３を使って第二のモジュールＢと相互に接続される一方で、上肢及び下肢に釣り合いの取れた動力チェーンを確立するように第五のモジュールＥが第一のモジュールと相互に接続される。対応するモジュールを相互に接続するために使用される矯正回転要素３３の数及び長さは、患者のサイズ及び患者が患う病状に応じて選択される。接続手段４１を使用して全てのモジュールが、選択された構想にしたがって接続される。
【００９１】
医学的指示に応じて、提案される装置と同時に、棒、可膨張体及びその他の構造のような多様な材料から作られる多様な頭部保持器、例えば柔らかい頭部保持器、シャンツ式カラーの類似品など、他の公知の矯正装置も使用することができる。さらに、締め付け具によって提案される装置に固定される矯正靴底、靴及び矯正設備と一緒に各種の固定装置を使用することもできる。次に、組み立て済み装置を着用した患者の動的テストが行なわれ、必要であれば動力チェーンの補正が行なわれる。提案される装置の使用中に、必要になったならばいつでも、矯正回転要素の長さ及び対応するモジュールの外側表面に対する固定位置を修正することができる。
【００９２】
例１
男性患者Ｃ.Ｂ.、３２歳
診断：骨髄病変による椎骨の圧縮破損Ｔｈ１２−Ｌ２。下肢の遅進行性麻痺。患者の検査中に、下肢の筋肉の発育不全が見つかった。反射は弱い。横臥位のとき、足の内反尖足位が観察された。垂直位のとき、足は扁平外反パターンで置かれている。膝関節は大腿４頭筋によっては閉じない。股関節部の筋肉の機能が著しく弱っている。骨盤臓器の機能は実質上維持されている。外傷後骨軟骨症の明らかな兆候がある。既知の方法によるこれまでの治療は明らかな効果を上げていない。
【００９３】
ＲＦ特許第２,０５４,９０７号公報による装置は、患者の運動器官全体に作用し、このケースにおいては妥当ではないので、この病状（外傷後症候群の存在）には、当該装置は使用できない。
【００９４】
患者は、第一、第二、第三及び第四のモジュールを含む提案される装置を使用して１ヶ月間治療を行なった。
【００９５】
各治療のセッション（時間）は６０分であり、２０分間の装置治療、３０分間の立位、座位、臥位の肉体的負担の複合的治療を含んでいた。
【００９６】
５日サイクルで１日の中断を含めて２５セッションが行なわれた。治療の結果、肉体的忍耐、下肢の筋肉力の増強、夕方の疲労、背中の痛みの減少、運動及び静止機能の大幅な改善が見られた。
【００９７】
例２
男性患者Ａ.Ｂ.、１２歳
１歳のとき小児脳性麻痺の１つ、痙性両側麻痺であると診断された。知能は保持されている。「円背」タイプの顕著な姿勢障害が、Ｔｈ８―Ｔｈ１０の高さの脊柱後彎尖と共に認められる。
【００９８】
以前に公知の方法に従って、投薬、理学療法及び整形外科的治療が行なわれた。しかしながら、治療は一過性的効果しか生じず、その後にさらに度を増して再発した。患者には、第一、第二、第三及び第四のモジュールを含む提案される装置を使用することが勧められた。
【００９９】
各治療セッションは４０分であり、１０分間装置を着用しての歩行、２０分間の立位、座位及び臥位での複合的運動療法を含んでいる。５日サイクルで２日の中断を含めて２０セッションが行なわれた。治療の結果、患者の静止機能の運動の改善及び肉体的持久力の増強が認められた。
【０１００】
例３
男性患者Ｉ.Ｂ.、５２歳
診断：急性脳循環障害、左半身麻痺、脊椎の播種性骨軟骨症、Ｌ３、Ｌ４、Ｌ５の椎間板ヘルニア。患者は公知の方法による治療を受けたが目立った臨床的改善はなかった。
【０１０１】
ＲＦ特許第２,０５４,９０７号公報の装置の使用は、根性症候群があることによって悪化した播種性骨軟骨症のために不可能であった。
【０１０２】
第一、第二、第三、第四及び第五のモジュールを含む提案される装置が患者に勧められた。治療セッションは４５分であり、１５分間の装置を着用しての歩行、及び２０分間の立位、座位及び臥位での複合的運動療法を含んでいた。
【０１０３】
治療セッションは動脈血圧を監視しながら行なわれた。５日サイクルでその間に２日間の中断を含めて２０セッションが実施された。
【０１０４】
治療の結果、大胸筋の病的緊張の減少が観測され、これにより、上肢の運動範囲の増大、三角筋の張力の増大及び亜脱臼症状の除去を可能にした。腰部領域において、鎮痛側彎を減少する傾向及び根性症候群の自覚的改善が観察された。
【０１０５】
上述の要素の各々又は２つ又は３つが一緒に、上述のタイプとは異なる他のタイプの構造において有益な用途を見つることができることが分かるであろう。
【０１０６】
本発明は、中枢神経系及び運動器官鍾愛の後遺症を患う患者用の装置において実施されるものとして図示され説明されているが、本発明の精神から決して逸脱することなく様々な修正及び構造的変更を加えることができるので、示されている詳細に限定されることを意図したものではない。
【０１０７】
さらなる分析なしに、以上のことは本発明の要点を充分に明らかにするので、先行技術の観点から見て本発明の一般的又は特定の形態の基本的特性を適正に構成する特徴を省くことなく現在の知識を応用することによって、第三者は様々な用途にこれを容易に適応させることができる。
【０１０８】
新規のものと主張され特許証によって保護されることを望むものは特許請求の範囲において示されている。
【０１０９】
産業上利用可能性
本発明は、神経科、神経外科、外傷外科、整形外科及び心臓科において、特に小児脳性麻痺を患う患者、おそらく脊髄の病変を併発する脊柱を損傷した患者、又は骨軟骨ジストロフィー、脊柱側彎症、脊柱後側湾後遺症又は頭蓋脳損傷の後遺症を患う患者の治療のため、並びに心臓血管疾患を患う患者のリハビリのために用途を見出すことができる。
【０１１０】
さらに、提案される装置は、患者の姿勢を矯正するため及び多様なスポーツの練習のトレーニングシミュレータに使用することができる。
【図面の簡単な説明】
【図１】  図１は、第一の実施形態による提案される装置を示している等角図である。
【図２】  図２は、第二の実施形態による提案される装置を示している等角図である。
【図３】  図３は、第三の実施形態による提案される装置を示している等角図である。
【図４】  図４は、第四の実施形態による提案される装置を示している等角図である。
【図５】  図５は、本発明による下肢の機能障害を有した患者の治療用に提案される装置を示している等角図である。
【図６】  図６は、本発明による上肢の機能障害を有した患者の治療用に提案される装置を示している等角図である。
【図７】  図７は、本発明による肩甲帯の筋肉の機能障害を有した患者の治療用に提案される装置を示している等角図である。
【図８】  図８は、本発明による任意のモジュールの外側表面に矯正回転要素を固定する際の変形を示している等角図である。
【図９】  図９は、本発明による長さを変えるための手段を有する矯正回転要素を示している等角図である。
【図１】
0004680474.tif 000002
【図２】
0004680474.tif 000003
【図３】
0004680474.tif 000004
【図４】
0004680474.tif 000005
【図５】
0004680474.tif 000006
【図６】
0004680474.tif 000007
【図７】
0004680474.tif 000008
【図８】
0004680474.tif 000009
【図９】
0004680474.tif 000010